(57)【特許請求の範囲】
【請求項１】
シャフト（３１５）を有していて、ピボット・ブロック（３４０）がそのシャフトに沿った第１の位置（閉位置）から第２の位置（開位置）に移動できるようにされていて、フレーム（３７０）に対して前記シャフトに沿った移動に伴って前記シャフトと一緒に開閉するようにされた通気遮断用のドア（３１０／４１０）であって、前記シャフトが前記ドアの底部に固定され、前記ピボット・ブロックが前記ピボット・ブロックの一方の側でフレームに対して回転することができる関係に係合されている前記通気遮断用のドアと、
前記ピボット・ブロックを介して前記ドアに固定されたピボット部材（３２２）および賦活ピン（３３０）を有し、スプリング負荷等を受けて賦活されているところへ電子ブック（３５０）の案内に伴ってカム（３５２）が接触すると、前記賦活ピンが肩ねじ（４２０）の周りに回転して前記ドアを第１の位置から第２の位置に行くようにされ、かつ、失活に従動して前記賦活ピンが肩ねじの周りに逆回転して前記ドアが前記第１の位置に戻るようにもされている、アーム機構（３２０）とを含む、
自動通気遮断アセンブリ（３００）。        
【請求項２】
シャフト（３１５）を有していて、ピボット・ブロック（３４０）がそのシャフトに沿った第１の位置（閉位置）から第２の位置（開位置）に移動できるようにされていて、フレーム（３７０）に対して前記シャフトに沿った移動に伴って前記シャフトと一緒に開閉するようにされた通気遮断用のドア（３１０／４１０）であって、前記シャフトが前記ドアの底部に固定され、前記ピボット・ブロックが前記ピボット・ブロックの一方の側でフレームに対して回転することができる関係に係合されている前記通気遮断用のドアと、
前記ピボット・ブロックを介して前記ドアに固定されたピボット部材（３２２）および賦活ピン（３３０）を有し、賦活されているところへ電子ブック（３５０）の案内に伴って、前記賦活ピンが回転して前記ドアを第１の位置から第２の位置に行くようにされ、かつ、失活に従動して前記賦活ピンが逆回転して前記ドアが前記第１の位置に戻るようにもされている、前記ドアを動かすことができる、アーム機構（３２０）と、
自動通気遮断アセンブリ（３００）。
【請求項３】
電子ブックが前記ドアに向かって移動する方向で前記賦活ピンに接触するとき前記賦活ピンが賦活され、かつ、前記電子ブックが前記ドアから離れる方向で前記賦活ピンに接触するときに失活される、
請求項２に記載の自動通気遮断アセンブリ。
【請求項４】
前記賦活ピンが一旦失活されると電子ブックの動きを前記ロール・ストップ・ピン（３６０）が案内することを制限するように、選択された位置において前記フレームに固定されたロール・ストップ・ピンを含む、
請求項２に記載の自動通気遮断アセンブリ。
【請求項５】
前記電子ブックがカム（５２０）を含み、接触するとき前記賦活ピンが前記賦活ピンの賦活および失活を生じさせる、
請求項４に記載の自動通気遮断アセンブリ。
【請求項６】
前記アーム機構において、ピボット・アームがその周りを回転できる肩ねじ（４２０）が、前記フレームに更に固定されている、
請求項４に記載の自動通気遮断アセンブリ。
【請求項７】
前記ピボット・ブロックが前記フレームに固定された、
請求項６に記載の自動通気遮断アセンブリ。
【請求項８】
前記ピボット・ブロックが前記シャフトを介して前記ドアを動かす、
請求項７に記載の自動通気遮断アセンブリ。
【請求項９】
前記賦活ピンが前記ピボット・アーム上に位置づけられる、
請求項８に記載の自動通気遮断アセンブリ。
【請求項１０】
前記ピボット・アームがスプリング負荷を受けている、
請求項８に記載の自動通気遮断アセンブリ。
【請求項１１】
ユニットへの空気流を自動的に阻止しもしくは阻止しないようにする方法であって、
シャフト（３１５）を有していて、ピボット・ブロック（３４０）がそのシャフトに沿った第１の位置（閉位置）から第２の位置（開位置）に移動できるようにされていて、ユニットのフレーム（３７０）に対して前記シャフトに沿った移動に伴って前記シャフトと一緒に開閉するようにされた通気遮断用のドア（３１０／４１０）であって、前記シャフトが前記ドアの底部に固定され、前記ピボット・ブロックが前記ピボット・ブロックの一方の側でフレームに対して回転することができる関係に係合されている、前記通気遮断用のドアを提供するステップと、
前記ピボット・ブロックを介して前記ドアに固定されたピボット部材（３２２）および賦活ピン（３３０）を有し、賦活されているところへ電子ブック（３５０）の案内に伴って、前記賦活ピンが回転して前記ドアを第１の位置から第２の位置に行くようにされ、かつ、失活に従動して前記賦活ピンが逆回転して前記ドアが前記第１の位置に戻るようにもされている、前記ドアを動かすことができる、アーム機構（３２０）を提供するステップとを有する、
方法。
【請求項１２】
前記賦活ピンが一旦賦活されもしくは失活されると前記賦活ピンが電子ブックを案内することを制限するように選択的な位置で前記フレームにロール・ストップ・ピンを固定するステップを更に含む、
請求項１１に記載の方法。
【請求項１３】
前記ドアがコンピュータ・ユニットに空気流を提供するように使用される、
請求項１１に記載の方法。
【請求項１４】
前記フレームがコンピュータ・ラックである、
請求項１３に記載の方法。
【請求項１５】
開位置は前記ドアが前記フレームの内側で９０度の角度回転するのを許容する、
請求項１３に記載の方法。
【請求項１６】
複数個のドアが相互に連結して使用される、
請求項１５に記載の方法。
【請求項１７】
前記賦活ピンは、電子ブックが前記ドアに向かって移動するときに賦活され、前記ドアから離れる方向に移動されるときに失活される、
請求項１１に記載の方法。
【請求項１８】
カム板が前記賦活ピンと接触するようになると前記賦活ピンを賦活させもしくは失活させる前記カム板を電子ブックが含み、かつ、前記カム板がロール・ストップ・ピンに接触もしくは接触解除する、
請求項１５に記載の方法。
【請求項１９】
前記アーム機構が前記フレームに固定され、前記アームが更に肩ねじを含み、前記肩ねじの回りにピボット・アームが回転することができ、かつ前記肩ねじが前記フレームに固定される、
請求項１６に記載の方法。
【請求項２０】
前記ピボット・アームがスプリング負荷を受けている、
請求項１９に記載の方法。
【発明の詳細な説明】
【技術分野】
【０００１】
本発明はコンピューティング・システムのパッケージに関し、特にそのコンポーネントの空冷を生じさせる空気流を導入する大型コンピューティング・システムのパッケージングに関する。
【背景技術】
【０００２】
コンピューティング・システムの内部の電子コンポーネントの数が絶え間なく増加しているのがこの産業界の傾向である。コンピューティング・システムは、簡単なパーソナル・コンピュータ、簡単なコンピュータのネットワーク、または１個もしくはそれ以上の中央電子システム（ＣＥＣ）を含む大型コンピュータ１台もしくはそのネットワークを含む。簡単なコンピューティング・システムの内部のコンポーネントを増加させることは何らかのチャレンジを創り出すものだが、そのように増加させることは１個もしくはそれ以上の大きなコンポーネントを含むコンピューティング・システムにおいて多くの問題を生じる。そのような例では多くの見掛け上別個の問題が互いに影響を及ぼしあう。特に単一のアセンブリに一緒にパッケージされるとき、あるいは他のシステムとともにネットワーク化されもしくは近接して収容されるときはそうである。
【０００３】
コンピューティング・システムのパッケージングを設計するときのそのような特定のチャレンジの一つは放熱（熱放散）の問題である。放熱はもし解決されないとシステム全体のパフォーマンスに影響を及ぼす電子的および機械的な故障の原因となる。容易に理解できるように、放熱はパッケージ密度が増加するにつれ増加する。１個もしくはそれ以上のＣＥＣを含むような大型のコンピューティング・システムでは、放熱は特に関心の高い問題となる。
【０００４】
大型のコンピューティング・システムに常駐するパッケージから放散される熱が、熱を発生するコンポーネントに隣接するコンピューティング・システムの内部の領域に影響を及ぼす。但し、これは大型システムのみに関することではない。それらが大きなサイズであるが故に、そしてまた熱を発生するパッケージであるが故に、大型のコンピューティング・システムはそれらが収容されている環境の温度に影響を及ぼすことがあり得る。従って、幾つかの大型のコンピューティング・システムが同じ物理的な仕切りの内部に格納されるなら、１個もしくはそれ以上のそのようなシステムからの不適切な冷却および望ましくない放熱がそのコンピューティング・システムが格納されている環境の温度に影響することによって全てのそのようなシステムに影響を及ぼすことがあり得る。後者は後で特別の関心事となり、また時としてコンピューティング・システムが受容可能な温度で格納されているような環境を維持するためにコスト制限のある解決策が示唆されてきた。
【０００５】
従来技術は放熱の問題を取り扱う種々の方法を示唆してきた。ときとして、これらのコンポーネントを冷却する態様は一層の関心を呼ぶかもしれない。例えば、コンピュータ・ラックもしくは筐体（ハウジング）を含むその環境の内部のコンポーネントを空気流によって冷却する場合には、他の問題にも対処しなければならない。一つの問題は開口（すなわちドア）が存在するとき、その開口は空気抵抗の問題に対処するために閉じている必要があることである。これは幾つかの装置が互いに近くに収容されているような環境では正しい。そのような場合に種々の装置が互いに近くに配置されているので、そのような開口を閉じずにそのような装置の一つを除くとすると、その空いたスペースを通じて空気が自由に動けるように許容するであろうから、その空いたスペースはその残りの電子装置を過熱（オーバーヒート）させがちである。その装置が取り除かれるときは、ドアが閉じ、その電子装置がしばしば存在する場合の電子ブックの空気抵抗を模す。その閉じたドアはまた、電子装置を汚染物質と他の不純物から保護する。従来技術では、通気遮断（エア・ブロッケージ、通気閉塞）ドアが導入されたとき、そのドアもしくは他の通気遮断コンポーネントはそのようなユニットの開閉をシステム人員が操作する必要があるような面倒な設計になっていた。従って据付時間、コストおよび手順が余分にかかった。
【発明の開示】
【発明が解決しようとする課題】
【０００６】
その結果、使用していないときに外部の汚染物質から環境が確保され得るような、そしてその動作が一度再開すれば空気流に開くようになる通気遮断コンポーネントの自動動作を許容することができるような方法およびそれを導入したシステムが必要である。
【課題を解決するための手段】
【０００７】
以下に述べる一つの方法と、導入された自動通気遮断アセンブリとを提供することにより従来技術のこのような欠点が克服され、追加的な効果が得られる。このアセンブリは、ピボット・ブロックおよびシャフトを介して第１の位置から第２の位置に動くことのできるフレームに固定(secure)された通気遮断用のドアを含む。前記ピボット・ブロックはアーム機構に固定され、アーム機構はピボット部材および賦活ピンを更に有する。前記ドアの動きはこの賦活ピン(activation pin)の賦活（活性化:activation）および／もしくは失活（非活性化:deactivation）によって可能となる。一実施例では、賦活ピンが電子ブックと接触するようになるとき前記賦活ピンが賦活もしくは失活される。 
【発明を実施するための最良の形態】
【０００８】
追加的な特徴および効果が本発明の技法を通じて実現される。本発明の他の実施例および側面が個々に詳細に開示され、それらは特許請求の範囲に示された発明の一部と考えられる。本発明をその効果および特徴とともに一層理解することができるように、以下の説明と図面に言及する。
【０００９】
図２は、２１０で示す少なくとも一つのブックもしくはノードを有する、図１でも説明したようなラック１１０の説明である。図示の例では、ノード／ブック２１０は矢印２１２の向きに（多くの場合はスライド運動によって）所定の場所まで移動させることができ、図示の矢印２１４の向きに取り外すこともできる。複数個のノードもしくはブックを、図２で示したもののように、フレーム上で横並びに配置することができる。
【００１０】
図１に戻って、ラック１１０が籠状(cage like)の構造を有し、図ではオープンな環境にあるように示されているが、多くの場合には一旦据付が完了するとラックもしくは筐体のために安全上もしくは動作上のいろいろな理由からカバーが設けられる。しかし、図１および図２では、その環境を見やすくするために、これらのカバーは省略されている。更に、多くの例で、そのフレームの設計に１個もしくはそれ以上の通気遮断ドアを、それが一旦完全に据付けられる際、導入する必要があるかもしれない。また、そのようなドアがこのデザインでは描かれていないが装置の安全性および統一性を提供するためにそれが導入される必要があるかもしれない。
【００１１】
一般に、最適の通気遮断ドアは、装置もしくはコンポーネント（ノード、ブック、ボード、コンポーネント、もしくは電子的な封入体を含むがそれらに限定されないもので,この明細書では総じて「電子ブック」という用語を用いて表現することもある）がないときその位置で閉じられ、またそれが据付けられるとき開かれている必要がある。本発明の一実施例では、以下の図と関連して説明されるように、そのドアの活性化がその装置の据付もしくは取外しにより作動されるであろう。前に説明したように、熱い空気の再循環を防ぐためにはならびに他の理由から、ドアは装置が動作中でない場合は閉じられている必要があるが、放熱のためには装置が再び作動されるようになる或る時点からはドアが開かれている必要がある。
【００１２】
そのような例では、ドアを押し開くという特徴を加えると考えてもよい。ドアが開く際、ブック、送風機、または他の幾つかの装置がそのスペースを占めることができるような方法を考案(swing out)するであろう。ドアは、それがその開位置にあるときその装置の上部、下部もしくは傍らにあるであろう。その装置が取り外されるとき、潜在的にスプリング負荷を受けているドアはその元の閉位置に戻ることができよう。しかしこのアプローチの場合の問題点は、特に画成されたフットプリントにおいてあるいはもっと一般的に画成され浮き出したフロア環境において、内外に振り出されるコンポーネントを許容することが潜在的に不可能であるかもしれないということである。サービス要員がそのようなドアを処理しなければならないが、置かれたところに手が届くようにすることは難しいかもしれない。
【００１３】
これらをアドレスするため、そしてもっと良い解決策を提供するために、代わりに本発明は、図２において提供されるノードのようなコンポーネントの挿入時もしくは取外し時に自動的に開き、そして自動的に閉じる機構を提供する。本発明はその空間を占めるその背後の構造があるためにドアが押し開くことができないような状況に対処している。更に、ドアがその開位置にあるときにどのような空間移動をも妨げないような設計、そしてその開位置にあるときにブック相互間の小さな開いた空間が存在するような設計である。（即ち、以下で言及する図３ないし図８を参照されたい。）
【００１４】
以下で説明するような好適な実施例で説明されるようなコンピューティング環境にこのドア・アセンブリが導入される必要がないことを理解されたい。それを導入したのは説明を分りやすくするためである。以下で説明するような自動的な通気遮断アセンブリは図１および図２で早くに示したコンピュータ・フレームのようなフレームに固定され得る通気遮断ドアを含む。アーム機構に固定され得るピボット・ブロックおよびシャフトを介して第１の位置から第２の位置にドアが移動されもしくは回転される。その機構はピボット部材および賦活ピンを含む。その賦活ピンの賦活もしくは失活により第１の位置から第２の位置にまたはその逆にドアが移動させられる。一実施例では、この賦活プロセスおよび／もしくは失活プロセスが、電子ブロックもしくはノードのようなユニットの取外しもしくは係合により引起こされる。またこの賦活プロセスおよび失活プロセスの間あるいは他の任意の時間に、第１の位置もしくは第２の位置を越えてドアが移動しないようにロール・ストップ・ピンが設けられる。一実施例では、この特定の目的のための選択的な位置でロール・ストップ・ピンが前記のフレームに固定される。
【００１５】
本発明の作用をよりよく理解するためには、概略前述したようなこのプロセスおよび特定のコンポーネントを一層明確にする一つの例が使用される。以下の図３ないし図８に示すような以下の説明では、図１および図２で提供されるような大型コンピューティング環境で本発明の作用を導入する好適な実施例が使用される。しかし本発明は大型コンピューティング環境を含む例に限らず、多くの環境に適用され得ることを理解されたい。そのような環境を使用することは、以下の説明で提供されるように、理解を容易にするためだけであり、その用法を限定するものととってはならない。
【００１６】
図３ないし図８の実施例についてここで言及すると、ドア・アセンブリおよびその種々の機構がコンピューティング環境にこれらを導入する好適な実施例に関し詳細に説明される。
【００１７】
図３は本発明の一実施例を説明する。図３に示すアセンブリ３００は３７０で概略示すコンピュータ・フレームを含む。そのフレームの少なくとも一部分、この場合（例えば、スライド動作による）ノードの容易な取外しおよび挿入を提供する領域が、参照番号３１０で示すような通気遮断ドアの少なくとも一方の側に確保されている。
【００１８】
代替実施例では、フレーム３７０に別々の位置で各々固定されるデザインのアセンブリ中に複数個の通気遮断ドア３５０を導入することができる。一つのシナリオでは、ノード／ブックごとに一つのドアを導入することができる。図３の例では、複数のドアが示されていて、いろいろな代替実施例をあとで説明するのを可能にしている。
【００１９】
図３に戻って、図示のとおり各ドア３１０が第１の位置から第２の位置に（そして幾つかの代替実施例単位でその逆の位置に）ピボット・ブロック３４０およびドア・シャフト３１５を介して移動しもしくは回転することができる。ピボット・ブロック３４０およびドア・シャフト３１５は相互におよびドアに固定される別個のエンティティとなり得る。あるいは夫々はもしくは両方はドアのデザインの一部として導入され得る。いずれの場合も、それらの目的はドアを第１の位置から第２の位置へまたはその反対に移動（回転を含む）させることができるようにすることである。図に示す実施例では、第１の位置は閉位置となるように、第２の位置は開位置となるように示されている。この開位置はこの場合、第１の閉位置から好適には９０度の位置にある。一実施例ではドア・シャフト３１５およびピボット・ブロック３４０は当業者に知られた多様な方法でフレーム３７０に固定され得る。
【００２０】
ノード／ブック３５０はもっと洗練された設計の可能性を反映するように図２で使用されるのとは異なる数字を用いて意図的に参照されている。例えば、３５２で参照されるカム板機構はノード／ブック３５０に導入される。カム板３５２は設計され、ノード／ブック３５０に後で固定されもしくはその一部として導入され得る。
【００２１】
アーム機構３２０はピボット部材（即ち、今後はピボット・アームと称する）３２２および賦活ピンを含み、フレーム３７０および少なくとも１つの位置にあるドアに固定される。夫々は当業者に知られているような手段である。以下で詳細に説明されるように、賦活ピンがドア・シャフト３１５を移動させるのに使用される。これはドアそれ自体を時として移動させることになる。
【００２２】
本発明の好適な実施例ではピボット・アーム３２２がスプリング負荷を受けているが、当業者に知られているような他の代替方法も考えられる。後で説明するように、その意図はノード／ブックが賦活ピン３３０を賦活することができるようにすることであり、ひいてはピボット・アーム３２２を通じてドア・シャフト３１５を移動させることになる。更に、図示のとおり、このアセンブリはまた、フレーム３７０に選択した位置で固定されたロール・ストップ・ピン３６０を含む。また、ボルト止め、ねじ止め、溶接あるいは当業者に知られた他の方法など、多様な方法がこれらのピンをフレームに固定するのに使用することができる。
【００２３】
更に、図３および図４に示す好適な実施例では、カム３５２がピボット・アーム３２０上の賦活ピン３３０と接触するときそれが肩ねじの周りに回転する。当業者に知られた他の手段の周りで回転してもよい。これのもっと見える図は図４である。図４では、図示の複数個のドアが４１０および３１０として異なる参照番号を与えられているが、賦活プロセスが（閉位置から）始動した後回転されている間のドアを区別するためである。図４の例は、カム３５２がピボット・アーム３２０上の賦活ピン３３０に接触する際、ドア４１０が丁度回転し始める時点でのスナップ・ショットを提供する。肩ねじ４２０は、図３では完全に見えるようにはなっていないが、そのことがこの図にも見えている。
【００２４】
図３および図４をともに参照すると、ドアの動作のもっと詳細な説明がされている。図はどのようにしてドアがピボット・ブロック３４０を介して引かれて開位置になることができるかを示す。そのピボット・ブロック３４０はドア４１０上の固定されたドア・シャフト３１５に取付けられる。ドア４１０についてはドア・シャフト３１５に沿ってピボット・ブロック３４０を開く。ノードもしくはブロック３５０が更に進められると、図５に上から下に向かって示されているようにドアが更に開かれる。図５に示されるように、ドア４１０はノード／ブック３５０が前に移動するにつれ更に開いてゆく。その移動の方向は矢印によって与えられ、図では参照番号５００で示される。
【００２５】
ドアはそれが９０度の角度に達するまで開かれる。そこに達すると、ブックはその前を通って移動することができるようにする。この概念は図６の説明によって提供される。図６で分るように、ドア４１０は完全に開かれるが、そんなにも多くの空間を必要としない。図３および図６を一緒に参照すると、この位置（図示の位置）ではノード／ブック３５０がドア４１０の前を通ってノード／ブック３５０がいまや通り過ぎることができる。それはピボット・アーム３３０上の賦活ピンを含み、それがロール・ピン・ストップ３６０に達するまで動く。
【００２６】
一実施例で、ロール・ピン・ストップ３６０を有する目的はカム板に対して賦活ピンを、それが常に同じ位置をヒットするように位置付ける助けとなることである。しかし、他の実施例ではロール・ピン・ストップ３６０にその装置の移動を制限する助けとなる手段としても作用させること、そして意図した位置（例えば９０度という角度の開位置および閉位置）よりも先にそのドアが移動しないように防ぐことが考えられる。他の実施例では、ブック／ノードの係合および係合解除を知らせるためにこのピンを賦活ピン３３０と連結して使用することが考えられる。
【００２７】
図７は完了されたプロセスを示す。図７の上から下を見た図に示されるように、ノード／ブック３５０は今や完全に係合され、完全に開いたドア４１０がドア相互間の空間に存在して最大の空気流を許容する。ドアが非常に僅かなフットプリントの空間（殆どは何ら使用されないままの空間）を占める間に、それらは複数個のドアが同時に使用され、かつ複数個のブック／ノードが同時に係合されているような設計に便宜を与えることに留意されたい。この実施例では、開位置にあるときの実際のドアが、ブック／ノードを互いに物理的に離隔させ、更に堅固さを与え、その構成されたアセンブリに他の利点を与える。この設計は、密集した環境下でそれが問題を生じさせるような追加の余地（スプリングを外に、中に、その廻りに納めるための）を取り上げなければならないドアの任意のエレメントなしに、フットプリントの最大の用法を許容する。
【００２８】
図７では、一つの例として、この特定の実施例のための空気流の方向が参照数字７００および矢印によって示されている。しかし、これは理解を容易にするために提供されているだけで、他の実施例では空気流の方向は選択的に異なって位置づけられてもよい。
【００２９】
図８はそのプロセスが逆向きになる直前のアセンブリを示したものである。図８はブック／ノード３５０が取外されるときのプロセスを理解するために図３に関連して見直すことができる。このプロセスが逆向きになると、ドア４１０／３１０が図８に示すアセンブリの背後から離れるように移動する。ドア４１０が図８に示すようにブック／ノード３５０によってこの点でなおも開いたままにされている。ブック／ノード３５０が逆方向に移動し続けると、ピン３３０が失活される。この実施例では賦活ピン３３０がカム３５２に従動し、スプリング負荷を受けたピボット・アームがそのピン・ストッパに対してその元の位置に戻る。換言すると、ブック／ノード３５０を取外すと、スプリング負荷を受けたドアがその閉位置に戻ることが可能になる。    
【００３０】
本発明の好適な実施例を説明してきたが、今日のそして将来の当業者が特許請求の範囲の中に入る種々の改善や改良を行うことができることを理解されたい。これらの特許請求の範囲は最初に記述した発明について適切な保護を維持するように解釈すべきである。
【００３１】
本発明とみなされる主題は、特許請求の範囲に特定され、明記される。本発明の前述およびその他の目的、構成および利点は添付の図面と関連して本発明の詳細な説明から明らかである。
【図面の簡単な説明】
【００３２】
【図１】本発明の一実施例で使用されるような大型コンピュータのフレームを示す図である。
【図２】図１の実施例で提供されるようなフレーム上に挿入されもしくは取り外されるような複数のノードもしくはブックを示す図である。
【図３】本発明の一実施例として自動通気遮断アセンブリを説明する図である。
【図４】ドアがゆっくりと開かれていく間の図３のアセンブリを側面から見たスナップ・ショットである。
【図５】図４の実施例の上から見下ろした図である。
【図６】空気流ドアが完全に開いた位置にある、図３の実施例を示す図である。
【図７】ブック／ノードが一旦、完全に結合を外されてピンが失活させられる際の、図３の実施例のアセンブリを上から見下ろした図である。
【図８】ノード／ブックが結合を外されてピンを失活させる間の、図３の実施例を示す図である。
【符号の説明】
【００３３】
１１０  ラック（フレーム）
２１０  ノード／ブック
３００  アセンブリ
３１０  ドア
３１５  ドア・シャフト
３２０  アーム機構
３２２  ピボット・アーム
３３０  賦活ピン
３４０  ピボット・ブロック
３５０  ノード／ブック
３５２  カム
３６０  ピン・ストッパ
３７０  フレーム
４１０  ドア
４２０  ねじ肩
【図１】
0005356756.tif 000002
【図２】
0005356756.tif 000003
【図３】
0005356756.tif 000004
【図４】
0005356756.tif 000005
【図５】
0005356756.tif 000006
【図６】
0005356756.tif 000007
【図７】
0005356756.tif 000008
【図８】
0005356756.tif 000009